(57)【要約】【課題】インフルエンザワクチン投与時等に使用する穿刺針を皮膚に打つ前に、皮膚を所定温度まで短時間で冷却することで穿刺痛を緩和することができ、かつ衛生面でも優れた小型かつ軽量の穿刺痛緩和棒を提供することを目的とする。【解決手段】穿刺痛緩和棒１００は、穿刺痛緩和棒１００の軸部１０の内部に蓄冷部１２を有し、穿刺痛緩和棒１００の先端には、蓄冷部１２と接した状態の先端部材１４を有することで穿刺針を使用する皮膚に数秒間押し当て、その部分の皮膚を２５℃以下まで冷却することで穿刺痛を緩和する穿刺痛緩和棒を提供する。【選択図】図１
2020110298.tif 000002
【特許請求の範囲】
【請求項１】
穿刺針を身体に打つ前に皮膚に押し当て皮膚を所定温度まで冷却することで穿刺痛を緩和する穿刺痛緩和棒において、
前記穿刺痛緩和棒は、前記穿刺痛緩和棒の軸部の内部に蓄冷部を有し、
前記穿刺痛緩和棒の先端には、前記蓄冷部と接した状態の先端部材を有することを特徴とする穿刺痛緩和棒。
【請求項２】
前記先端部材は、前記先端部材それぞれが連結可能な構造を持つことを特徴とする請求項１に記載の穿刺痛緩和棒。
【請求項３】
前記穿刺痛緩和棒は前記先端部材を複数、重ねて備えることが可能なことを特徴とする請求項１または請求項２に記載の穿刺痛緩和棒。
【発明の詳細な説明】
【技術分野】
【０００１】
本発明は、予防接種等の穿刺針（注射針）を使用する際にその穿刺痛を緩和することのできる穿刺痛緩和棒に関するものである。
【背景技術】
【０００２】
予防接種等の各種の薬品投与時には穿刺針が使用されるが、穿刺時の痛みは投与対象者にとっては苦痛である。特にインフルエンザワクチン投与時のような対象者が子供も含まれる場合、その穿刺痛が投与対象者にとって大きな苦痛となることもある。
【０００３】
ここで穿刺針使用時に穿刺する皮膚を一時的に冷却（例えば２５℃程度まで）することができれば知覚を鈍らせ穿刺痛を軽減できることが知られている。
【０００４】
そのため特許文献１にあるように冷却ピースを用いた皮膚を冷却することができる疼痛緩和装置が提案されている。
【先行技術文献】
【特許文献】
【０００５】
【特許文献１】特開２００６−２４７２３８号公報
【発明の概要】
【発明が解決しようとする課題】
【０００６】
しかし特許文献１にある疼痛緩和装置は冷却ピースのもつ冷熱で所定の人体部位を冷却するため一つの冷却ピースで複数人の所定の人体部位を冷却することは困難である。
【０００７】
そのため例えばインフルエンザワクチンの集団接種などで適用しようとすると穿刺針が使用される人数にほぼ等しい数の冷却ピースが必要となり、穿刺針を使用するたびに新しい冷却ピースに取り換えなければならず、学校や会社などの対象者が多数にのぼる集団接種では接種時間の長時間化を招き作用効率を低下させやすいという課題がある。
【０００８】
本発明では上記の課題に鑑み、小型・軽量でありかつ短時間で皮膚を冷却でき、衛生面でも優れた穿刺痛緩和棒を提供することを目的とする。
【課題を解決するための手段】
【０００９】
（１）  本発明に係る穿刺痛緩和棒は、穿刺針を身体に打つ前に皮膚に押し当て皮膚を所定温度まで冷却することで穿刺痛を緩和する穿刺痛緩和棒において、前記穿刺痛緩和棒は、前記穿刺痛緩和棒の軸部の内部に蓄冷部を有し、前記穿刺痛緩和棒の先端には、前記蓄冷部と接した状態の先端部材を有することを特徴とする。
（２）  本発明に係る穿刺痛緩和棒は、（１）に記載の穿刺痛緩和棒において、前記先端部材は、前記先端部材それぞれが連結可能な構造を持つことを特徴とする。
（３）  本発明に係る穿刺痛緩和棒は、（１）または（２）に記載の穿刺痛緩和棒において、前記穿刺痛緩和棒は前記先端部材を複数、重ねて備えることが可能なことを特徴とする。
【発明の効果】
【００１０】
（１）に記載の穿刺痛緩和棒によれば、軸部の内部に蓄冷剤を有することで多くの冷熱を備えることで一つの穿刺痛緩和棒で複数の人の皮膚を所定の温度まで冷却することが可能となり、作業効率を向上させることが可能となる。
【００１１】
（２）に記載の穿刺痛緩和棒によれば、先端部材を連結可能とすることでオートクレーブなどの滅菌装置に効率よく収納でき、多数の先端部材を同時に滅菌することが可能となる。
【００１２】
（３）に記載の穿刺痛緩和棒によれば、穿刺針を打つ人それぞれについて先端部材を交換する必要がある場合であっても、先端の先端部材を取り外すだけで次の人の皮膚の冷却に供することが可能となり、作業効率の低下を防ぐことが可能となる。
【図面の簡単な説明】
【００１３】
【図１】穿刺痛緩和棒の全体構成を示す図である。
【図２】穿刺痛緩和棒を用いて皮膚を冷却する状態を示す図である。
【図３】先端部材の殺菌、冷却時の構成を示す図である。
【発明を実施するための形態】
【００１４】
以下に添付図面を参照しながら本発明の好適な実施形態について説明する。かかる実施形態は発明の理解を容易とするための例示に過ぎず、特に断る場合を除き、本発明を限定するものではない。なお本明細書及び図面において実質的に同一の機能、構成を有する要素については同一の符号を付することにより重複説明を省略し、また本発明に直接関係のない要素は図示を省略する。
【００１５】
本発明の実施形態の構成について図を参照しながら説明する。
【００１６】
図１は穿刺痛緩和棒１００の全体構成を示している。
【００１７】
穿刺痛緩和棒１００は軸部１０とその内部に蓄冷部１２を有し、また穿刺痛緩和棒１００の先端には先端部材１４を備えている。
【００１８】
ここで軸部１０は穿刺針を使用する医師や看護師が手に持つ部分なので断熱性に優れ、かつ低温でも強度を保てる素材（例えばアクリル樹脂など）を使用することが望ましい。
【００１９】
また蓄冷部１２は、水にプロピレングリコールなどを添加した一般的には保冷剤と呼ばれる繰り返しの使用に耐えられる化学品を使用するが、使い捨てのドライアイスなどでもよい。
【００２０】
軸部１０の先端には蓄冷部１２に接触するように先端部材１４が備えられている。図１では３つの先端部材１４が重ねられて取付けられており、この先端部材１４はそれぞれ表面にネジ部（図示
せず。）あるいは磁力で重ねて取り付けられ、容易に脱着することが可能である。
【００２１】
先端部材１４には熱伝導性に優れ、人体に対してアレルギー反応を起こしにくい金属を使用することが望ましい。
【００２２】
重ねて取り付けられた先端部材１４は穿刺針を使用する対象者が変わるたびに先端から一つずつ取り外すことで迅速かつ常にきれいな状態の先端部材１４を使用することが可能である。
【００２３】
図２は穿刺痛緩和棒１００を用いて皮膚を冷却する状態を示す図である。
【００２４】
穿刺痛緩和棒１００は穿刺針を使用される人の腕１６に穿刺針を打つ前に図２のように先端に取付けられた先端部材１４を押し付け、押し付けられた皮膚を一時的に２５℃程度まで冷却する。
【００２５】
その直後に冷却された皮膚の部分に穿刺針を打つことで穿刺痛を緩和することが可能となる。
【００２６】
図３は先端部材１４を滅菌、冷却する際の構成を示す図である。本発明に係る穿刺痛緩和棒１００は人体の皮膚に押し付けることで皮膚を冷却し、その部分の痛みを一時的に感じにくくすることで穿刺痛を緩和するが、人体に直接押し付けて使用するため先端部材１４には使用前にオートクレーブなどで滅菌処理を施すことが必要である。
【００２７】
ここで皮膚を冷却するための冷熱は先端部材１４だけではなく、蓄冷部１２からも供給されるので先端部材１４の厚みは３ｍｍ〜５ｍｍ程度あれば十分である。また先端部材１４は相互に連結することが可能なので、図３に示すように収納部材１８に効率よく収納でき、この状態で滅菌およびその後の冷却を行うことが可能である。
【００２８】
以上、添付図面を参照しながら本発明の好適な実施形態について説明した。
【００２９】
当業者であれば、特許請求の範囲に記載された範囲内において、各種の変更例または修正例に想到し得ることは明らかであり、それらについても当然に本発明の技術的範囲に属するものと了解される。
【産業上の利用可能性】
【００３０】
本発明は、穿刺針（注射針）使用時の穿刺痛を緩和する穿刺痛緩和棒として利用することができる。
【符号の説明】
【００３１】
１００：穿刺痛緩和棒、１０：軸部、１２：蓄冷部、１４：先端部材、１６：腕、１８：収納部材
【図１】
2020110298.tif 000003
【図２】
2020110298.tif 000004
【図３】
2020110298.tif 000005